(57)【特許請求の範囲】
【請求項１】
相手通信装置のメモリ内に格納された画像データをポーリング受信する通信端末装置において、
相手通信装置に対して画像データの送信を要求する信号と当該画像データを指定する情報を含む信号を送信する送信手段と、
相手通信装置からの要求を受け付けない理由を含む信号を受信する受信手段と、
理由に基づいた報知を行う報知手段と、
上記送信手段及び上記受信手段による通信を継続したまま、上記報知された理由に基づいて当該画像データを指定する情報を入力する第１の入力手段とを備え、
上記送信手段は、上記通信を継続したまま、相手通信装置に対して画像データの送信を要求する信号と、上記入力された情報を含む信号とを再送信し、
上記通信端末装置は、
上記要求を受け付けない理由が、上記指定された情報に対応する画像データが無いとの理由の場合に、上記メモリ内の画像データの名称の一覧表と、上記指定された情報に対応する画像データとを送信するように要求する指示を入力する第２の入力手段をさらに備え、
上記指示が入力されたときに、上記送信手段は、相手通信装置に対して、上記メモリ内の画像データの名称の一覧表と、上記指定された情報に対応する画像データとを送信するように要求する信号を送信することを特徴とする通信端末装置。
【請求項２】
上記メモリ内の画像データの名称の一覧表を送信するように指示することは、上記画像データを指定する情報の後に＊を入力することであることを特徴とする請求項１記載の通信端末装置。
【請求項３】
相手通信装置のメモリ内に格納された画像データをポーリング受信する通信端末装置のためのコンピュータにより読み取り可能なプログラム記録媒体において、上記プログラムは、
相手通信装置に対して画像データの送信を要求する信号と当該画像データを指定する情報を含む信号を送信するステップと、
相手通信装置からの要求を受け付けない理由を含む信号を受信するステップと、
理由に基づいた報知を行うステップと、
上記送信するステップ及び上記受信するステップによる通信を継続したまま、上記報知された理由に基づいて当該画像データを指定する情報を入力するステップとを含み、
上記送信するステップは、上記通信を継続したまま、相手通信装置に対して画像データの送信を要求する信号と、上記入力された情報を含む信号とを再送信することを含み、
上記プログラムは、
上記要求を受け付けない理由が、上記指定された情報に対応する画像データが無いとの理由の場合に、上記メモリ内の画像データの名称の一覧表と、上記指定された情報に対応する画像データとを送信するように要求する指示を入力するステップをさらに含み、
上記指示が入力されたときに、上記送信するステップは、相手通信装置に対して、上記メモリ内の画像データの名称の一覧表と、上記指定された情報に対応する画像データとを送信するように要求する信号を送信することを特徴とするコンピュータにより読み取り可能なプログラム記録媒体。
【請求項４】
上記メモリ内の画像データの名称の一覧表を送信するように指示することは、上記画像データを指定する情報の後に＊を入力することであることを特徴とする請求項３記載のプログラム記録媒体。
【発明の詳細な説明】
【０００１】
【発明の属する技術分野】
本発明は、相手通信装置のメモリ内に格納された画像データをポーリング受信する通信端末装置、及び上記通信端末装置の各手段の処理のプログラムを記録したプログラム記録媒体に関する。
【０００２】
【従来の技術】
従来、発呼側の指示で被呼側のファクシミリ装置に予めセットしてある原稿を自動的に読み取らせ送信させるポーリング通信が知られている。しかしながら、通常のポーリング通信の場合、事前の打ち合わせが必要であり、被呼側において原稿がセットされていなければ送信することはできない。又、送信された原稿は送信終了後は原稿排出トレイ上に排出されてしまい、他の発呼側が同じ原稿をポーリング受信するためには、被呼側操作者が再度原稿をセットし直さなければならなかった。
【０００３】
そこで、被呼側ファクシミリ装置のメモリ内に予め画像情報を格納しておき、発呼側は被呼側電話番号ダイヤルの際、上記メモリ内の必要な画像情報に対応するファイル番号を入力し、所定のＤＴＭＦ信号を被呼側に送出し画像情報を受信する、いわゆる検索ポーリング通信なるものがある。この検索ポーリング通信の場合、被呼側の操作者の操作なしに、複数の発呼側が被呼側メモリ内の同一の画像情報を得ることができるという利点を有している。しかしながら、上記検索ポーリング通信において、発呼側は電話番号をダイヤルする際に、被呼側メモリ内の必要な画像情報を得るための所定のＤＴＭＦ信号を送出するなどの、ファイル番号の入力という操作が必要であり面倒であった。
【０００４】
この問題点を解決するために、メモリ内に格納された画像情報をポーリング送信するファクシミリ通信方法において、１つの電話回線に複数の電話番号を対応させ、電話回線を通して送られてくる電話番号を識別し、各電話番号に対応する画像情報を格納したメモリ内から、上記識別された電話番号に対応する画像情報を取り出してポーリング送信するものが知られている。
【０００５】
【発明が解決しようとする課題】
しかしながら、上述の従来例のファクシミリ装置で、相手方のファクシミリ装置のメモリ内に格納された画像データをポーリング受信する場合に、相手方のファクシミリ装置のメモリ内で指定した画像データのファイル番号が無いなどの理由の場合は、相手方のファクシミリ装置は単に回線を切断し、発呼側のファクシミリ装置では、その理由は解からなかった。
【０００６】
本発明の目的は以上の問題点を解決し、相手方のファクシミリ装置のメモリ内に格納された画像データをポーリング受信する場合に、ポーリング受信の要求を受け付けない理由が、発呼側の通信端末装置で解る通信端末装置、及びその通信端末装置の処理のプログラムを記録したプログラム記録媒体を提供することにある。
【０００７】
【課題を解決するための手段】
本発明に係る請求項１記載の通信端末装置は、相手通信装置のメモリ内に格納された画像データをポーリング受信する通信端末装置において、
相手通信装置に対して画像データの送信を要求する信号と当該画像データを指定する情報を含む信号を送信する送信手段と、
相手通信装置からの要求を受け付けない理由を含む信号を受信する受信手段と、
理由に基づいた報知を行う報知手段と、
上記送信手段及び上記受信手段による通信を継続したまま、上記報知された理由に基づいて当該画像データを指定する情報を入力する第１の入力手段とを備え、
上記送信手段は、上記通信を継続したまま、相手通信装置に対して画像データの送信を要求する信号と、上記入力された情報を含む信号とを再送信し、
上記通信端末装置は、
上記要求を受け付けない理由が、上記指定された情報に対応する画像データが無いとの理由の場合に、上記メモリ内の画像データの名称の一覧表と、上記指定された情報に対応する画像データとを送信するように要求する指示を入力する第２の入力手段をさらに備え、
上記指示が入力されたときに、上記送信手段は、相手通信装置に対して、上記メモリ内の画像データの名称の一覧表と、上記指定された情報に対応する画像データとを送信するように要求する信号を送信することを特徴とする。
【０００８】
また、請求項２記載の通信端末装置は、請求項１記載の通信端末装置において、上記メモリ内の画像データの名称の一覧表を送信するように指示することは、上記画像データを指定する情報の後に＊を入力することであることを特徴とする。
【０００９】
さらに、本発明に係る請求項３記載のプログラム記録媒体は、相手通信装置のメモリ内に格納された画像データをポーリング受信する通信端末装置のためのコンピュータにより読み取り可能なプログラム記録媒体において、上記プログラムは、
相手通信装置に対して画像データの送信を要求する信号と当該画像データを指定する情報を含む信号を送信するステップと、
相手通信装置からの要求を受け付けない理由を含む信号を受信するステップと、
理由に基づいた報知を行うステップと、
上記送信するステップ及び上記受信するステップによる通信を継続したまま、上記報知された理由に基づいて当該画像データを指定する情報を入力するステップとを含み、
上記送信するステップは、上記通信を継続したまま、相手通信装置に対して画像データの送信を要求する信号と、上記入力された情報を含む信号とを再送信することを含み、
上記プログラムは、
上記要求を受け付けない理由が、上記指定された情報に対応する画像データが無いとの理由の場合に、上記メモリ内の画像データの名称の一覧表と、上記指定された情報に対応する画像データとを送信するように要求する指示を入力するステップをさらに含み、
上記指示が入力されたときに、上記送信するステップは、相手通信装置に対して、上記メモリ内の画像データの名称の一覧表と、上記指定された情報に対応する画像データとを送信するように要求する信号を送信することを特徴とする。
またさらに、請求項４記載のプログラム記録媒体は、請求項３記載のプログラム記録媒体において、上記メモリ内の画像データの名称の一覧表を送信するように指示することは、上記画像データを指定する情報の後に＊を入力することであることを特徴とする。
【００１０】
【発明の実施の形態】
以下、図面を参照して本発明に係る実施形態について説明する。
【００１１】
＜第１の実施形態＞
図１は、本発明に係る第１の実施形態であるファクシミリ装置２０の構成を示すブロック図である。この第１の実施形態のファクシミリ装置２０は、相手方のファクシミリ装置の画像メモリ８内に格納された画像データをポーリング受信するファクシミリ装置２０において、相手方のファクシミリ装置に対して画像データの送信を要求する信号と当該画像データを指定する情報を含む信号を送信し、相手方のファクシミリ装置からの要求を受け付けない理由を含む信号を受信して、理由に基づいた表示を行うことを特徴とする。また、上記指定された情報に対応する画像が無いとの理由の場合には、相手方のファクシミリ装置に対して上記画像メモリ８内の画像データの名称の一覧表を含む画像データを送信するように要求する信号を送信することを特徴とする。
【００１２】
本実施形態において、ポーリング受信するときに、ポーリング信号を送信するファクシミリ装置を発呼側のファクシミリ装置といい、発呼側のファクシミリ装置からポーリング信号を受信して画像メモリ８内の画像データを発呼側のファクシミリ装置に対して送信するファクシミリ装置を被呼側のファクシミリ装置という。なお、図１のファクシミリ装置２０は、発呼側及び被呼側の両方のファクシミリ装置として動作するように構成され、操作部５の操作によりどちらかのファクシミリ装置として動作することになる。また、ＲＡＭ７内のファイル情報テーブル７ａは被呼側のファクシミリ装置で格納される。
【００１３】
図１において、ファクシミリ装置２０は、従来のＧ３方式等のファクシミリ通信機能を備えるとともに、画像データのポーリング受信及び送信機能（以下、ポーリング送受信機能という。）を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも図６及び図７のポーリング受信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶するほか、画像メモリ８内の画像データを管理するための詳細後述するファイル情報テーブル７ａを格納している。なお、ＲＡＭ７としてフラッシュメモリを使用した場合には、停電、装置の移動等のために電源が遮断された場合にもプロバイダ情報テーブル７ａの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
さらには、図６及び図７のポーリング受信処理などを含むプログラムは、ＲＯＭ６に格納することに代えて、例えばフロッピーディスク２２ａなどのプログラム記録媒体に記録されてもよく、操作者は、フロッピーディスク２２ａをフロッピーディスクドライブ装置２２の挿入孔を介して挿入してセットした後、所定のロード操作をしたとき、フロッピーディスク２２ａに記録された上記プログラムが主制御部１により読み出されてフラッシュメモリ２１内の適宜のプログラムエリアにロードされる。そして、操作者は、フラッシュメモリ２１にロードされた図６及び図７のポーリング受信処理に対して操作部５を用いて実行操作をすることにより該当プログラムの処理を実行することができる。
【００１７】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの閉結及び開放の動作を行いかつ自動ダイヤル機能を有するハードウェア回路であり、必要に応じてファックスモデム１０を公衆電話回線Ｌに接続する。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、画像データのポーリング送受信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
次いで、被呼側のファクシミリ装置２０のＲＡＭ７に格納されるファイル情報テーブル７ａについて説明する。ファイル情報テーブル７ａは、上述のようにＲＡＭ７の適宜の領域に設定されており、図３にその一例を示すように、当該ファクシミリ装置２０の画像メモリ８内に格納されている画像データを管理するための管理データ（以下、管理データという。）として、画像データのファイルをまとめる各ディレクトリの番号及び名称、並びに、画像データの各ファイルの番号及び名称とが格納されている。
【００２０】
図４は、第１の実施形態において発呼側のファクシミリ装置と被呼側のファクシミリ装置との間で送受信される信号の通信手順を示すタイミングチャートである。図４に示すように、まず、発呼側のファクシミリ装置は被呼側のファクシミリ装置に対してダイヤルして発呼し、これに応答して、被呼側のファクシミリ装置はＣＥＤ信号に続いてＤＩＳ信号を発呼側のファクシミリ装置に対して送信する。これに応答して、発呼側のファクシミリ装置はＤＴＣ信号とともに、ポーリング受信のためのパスワードを含むＰＷＤ（パスワード）信号と、ポーリング受信すべきファイル番号を含むＳＥＰ（選択ポーリング）信号と、ＰＳＡ（Ｐｏｌｌｅｄ  Ｓｕｂ  Ａｄｄｒｅｓ：ポーリングサブドレス）信号を被呼側のファクシミリ装置に対して送信する。ここで、ＰＳＡ信号は図５（ａ）に示すようにＦＩＦ（ファクシミリ情報フィールド）において０００…０００１００（２０バイト）が格納されている。これに対して、被呼側のファクシミリ装置において、図５（ｂ）に示すように、下記の理由のときに、下記の理由番号をＦＩＦに含むＦＮＶ（Ｆｉｅｌｄ  Ｎｏｔ  Ｖａｌｉｄ：ファクシミリ情報フィールドが誤りであることを示す。）信号とともにＤＩＳ信号を発呼側のファクシミリ装置に送信する。このとき、被呼側のファクシミリ装置は所定の信号が来るまで所定の時間だけ待機する。
【００２１】
（ａ）理由番号１：送信されたパスワードが予め被呼側のファクシミリ装置のＲＡＭ７内に登録されているパスワードと不一致であるとき。
（ｂ）理由番号２：ファイル番号が無い。
（ｃ）理由番号３：ディレクトリ番号が無い。
（ｄ）理由番号４：ファイル番号はあるがそれに対応する画像データが画像メモリ８に格納されていない。
（ｅ）理由番号５：ディレクトリ番号はあるがそれに対応する画像データが画像メモリ８に格納されていない。
【００２２】
例えば理由番号２又は３のとき、発呼側のファクシミリ装置は“該当のファイルがありません再入力して下さい”を表示部４に表示して操作者に対して再入力を指示し、操作者が再入力したとき、発呼側のファクシミリ装置は、再度、ＤＴＣ信号とともに、ポーリング受信のためのパスワードを含むＰＷＤ（パスワード）信号と、ポーリング受信すべきファイル番号を含むＳＥＰ（選択ポーリング）信号と、ＰＳＡ（Ｐｏｌｌｅｄ  Ｓｕｂ  Ａｄｄｒｅｓ：ポーリングサブドレス）信号を被呼側のファクシミリ装置に対して送信する。
【００２３】
図６及び図７は、第１の実施形態の発呼側のファクシミリ装置の主制御部１によって実行されるポーリング受信処理を示すフローチャートである。図６において、まず、ステップＳ１において操作部５を用いて操作者がディレクトリ番号、ファイル番号及びパスワードを入力すると、ステップＳ２において、回線を閉鎖して相手方の被呼側のファクシミリ装置の電話番号を送出する。これに応答して、ステップＳ３で被呼側のファクシミリ装置からのＤＩＳ信号を受信し、ステップＳ４においてＤＩＳ信号のＳＥＰ信号のビットの判断がなされ、ＳＥＰ信号のビットが０であるときは、被呼側のファクシミリ装置が選択ポーリングが不可能であるので、ステップＳ１４において被呼側のファクシミリ装置に対してＤＣＮ信号を送出した後、ステップＳ１５において“相手機は選択ポーリング不可能です”の表示を表示部４に行いステップＳ１３に進む。
【００２４】
ステップＳ４でＳＥＰ信号のビットが１であるときは、被呼側のファクシミリ装置が選択ポーリングが可能であるので、ステップＳ５においてＰＳＡ信号にディレクトリ番号を格納し、ＳＥＰ信号にファイル番号を格納し、ＰＷＤ信号にパスワードを格納して被呼側のファクシミリ装置に対して送出した後、ステップＳ６においてＤＴＣ信号を送出する。ここで、ステップＳ７において被呼側のファクシミリ装置からＦＮＶ信号を受信して検出したか否かが判断され、ＦＮＶ信号を受信したときは、図７のステップＳ２０に進む一方、受信していないときは、選択ポーリング受信が可能であるので、ステップＳ８において被呼側のファクシミリ装置からのＤＣＳ信号とトレーニング信号を受信し、これに応答して、ステップＳ９においてＣＦＲ信号を送出した後、ステップＳ１０において全ページの画像データを受信して画像記録部３を用いて印字する。次いで、ステップＳ１１において被呼側のファクシミリ装置からのＥＯＰ信号を検出し、これに応答して、ステップＳ１２においてＭＣＦ信号を送出した後、ステップＳ１３において回線を開放して当該ポーリング受信処理を終了する。
【００２５】
図７のステップＳ２０においてＦＮＶ信号のＦＩＦが判断され、ＦＩＦ＝１であるとき、ＰＷＤ信号パスワードが不一致であるので、ステップＳ２１において“パスワードが合いません再入力して下さい”の表示を表示部４に行った後、ステップＳ２２において３回目の入力か否かが判断され、ＹＥＳのときはステップＳ２５に進む一方、ＮＯのときはステップＳ２３において操作者が操作部５を用いてパスワードを再入力し、そして、ステップＳ２４においてストップキーが押下されか否かが判断され、ＹＥＳのとき当該ポーリング受信処理を停止するために、ステップＳ２５に進み、ステップＳ２５においてＤＣＮ信号を送出して、図６のステップＳ１３において回線を開放して当該ポーリング受信処理を終了する。ステップＳ２４でＮＯのときは図６のステップＳ５に戻り、図５に示すように再度、選択ポーリング信号のための信号を被呼側のファクシミリ装置に対して送信する。
【００２６】
ステップＳ２０でＦＩＦ＝２のとき、該当するファイル番号が無いので、ステップＳ３１において“該当のファイルがありません再入力して下さい”の表示を表示部４に行って、ステップＳ３２において５回目の入力か否かが判断され、ＹＥＳのときステップＳ２５に進む一方、ＮＯのとき、ステップＳ３３において操作者が操作部５を用いてファイル番号を再入力し、ここで、一覧表を要求する場合はファイル番号の後に“＊”を入力し、又は“＊”のみを入力する。そして、ステップＳ３４においてストップキーが押下されか否かが判断され、ＹＥＳのとき当該ポーリング受信処理を停止するために、ステップＳ２５に進む一方、ＮＯのときは図６のステップＳ５に戻り、図５に示すように再度、選択ポーリング信号のための信号を被呼側のファクシミリ装置に対して送信する。ここで、ステップＳ３３で入力された“ファイル番号＋＊”又は“＊”のデータは、ステップＳ５でＳＥＰ信号に格納されて被呼側のファクシミリ装置に送信され、これに応答して、被呼側のファクシミリ装置は、それぞれ、ファイル番号に対応する名称、もしくは、ファイルの名称の一覧表の画像データをファクシミリ通信の形式で送信する。これに応答して、発呼側のファクシミリ装置は受信した一覧表の画像データを画像記録部３を用いて印字する。
【００２７】
ステップＳ２０でＦＩＦ＝３のとき、該当するディレクトリ番号が無いので、ステップＳ４１において“該当のディレクトリがありません再入力して下さい”の表示を表示部４に行って、ステップＳ４２において５回目の入力か否かが判断され、ＹＥＳのときステップＳ２５に進む一方、ＮＯのとき、ステップＳ４３において操作者が操作部５を用いてディレクトリ番号を再入力し、ここで、一覧表を要求する場合はディレクトリ番号の後に“＊”を入力し、又は“＊”のみを入力する。そして、ステップＳ４４においてストップキーが押下されか否かが判断され、ＹＥＳのとき当該ポーリング受信処理を停止するために、ステップＳ２５に進む一方、ＮＯのときは図６のステップＳ５に戻り、図５に示すように再度、選択ポーリング信号のための信号を被呼側のファクシミリ装置に対して送信する。ここで、ステップＳ４３で入力された“ディレクトリ番号＋＊”又は“＊”のデータは、ステップＳ５でＰＳＡ信号に格納されて被呼側のファクシミリ装置に送信され、これに応答して、被呼側のファクシミリ装置は、それぞれ、ディレクトリ番号に対応する各ファイルの名称、もしくは、当該ディレクトリに属するファイルの名称の一覧表の画像データをファクシミリ通信の形式で送信する。これに応答して、発呼側のファクシミリ装置は受信した一覧表の画像データを画像記録部３を用いて印字する。
【００２８】
ステップＳ２０でＦＩＦ＝４のとき、該当するファイル番号に対応する画像データが無いので、ステップＳ５１において“該当番号のファイルに画像データが未登録です”の表示を表示部４に行って、ステップＳ３２に進み、上述と同様に再入力の処理を行う。
【００２９】
また、ステップＳ２０でＦＩＦ＝５のとき、該当するディレクトリ番号に対応する画像データが無いので、ステップＳ６１において“該当番号のディレクトリに画像データが未登録です”の表示を表示部４に行って、ステップＳ４２に進み、上述と同様に再入力の処理を行う。
【００３０】
以上説明したように、本実施形態によれば、相手方のファクシミリ装置の画像メモリ８内に格納された画像データをポーリング受信するファクシミリ装置２０において、相手方のファクシミリ装置に対して画像データの送信を要求する信号と当該画像データを指定する情報を含む信号を送信し、相手方のファクシミリ装置からの要求を受け付けない理由を含む信号を受信して、理由に基づいた表示を行うようにしたので、相手方のファクシミリ装置からの要求を受け付けないときの理由を発呼側のファクシミリ装置において明確に判別することができる。
【００３１】
また、対応する画像データが無いとの理由の場合には、相手方のファクシミリ装置に対して上記画像メモリ８内の画像データの名称の一覧表を含む画像データを送信するように要求する信号を送信するので、指定されたファイルの画像データが無い場合でも名称の一覧表を通信継続中に要求できる。従って、一旦回線を切断して再び発呼するなどしてポーリング受信処理を実行する操作者の手間を省くことができ、操作性を向上させることができる。
【００３２】
さらに、図６及び図７のポーリング受信処理などを含むプログラムを、ＲＯＭ６に格納することに代えて、例えばフロッピーディスク２２ａに記録した場合（変形例）、ＲＯＭ６にはファクシミリ装置の本来の機能のみを格納しておき、フロッピーディスク２２ａから上記ポーリング受信処理のプログラムを読み込むだけで、オプショナルで機能の追加を容易に行うことができる。
【００３３】
また、被呼側のファクシミリ装置に対してファイル情報テーブル７ａの一覧表を要求する場合は、ファイル番号又はディレクトリ番号の後に“＊”コードを操作部５を用いて入力してそれぞれＳＥＰ信号又はＰＳＡ信号に格納して送出している。従って、操作者は容易にファイルの一覧表を要求することができ、装置の操作性を向上させることができる。
【００３４】
さらに、パスワードが不一致のとき（理由番号ＦＩＦ＝１）は、再度パスワードを要求する表示をし、パスワードを入力した後、再度ポーリング要求信号を送出するようにしたので、従って、一旦回線を切断して再び発呼してポーリング受信を実行するなどの操作者の手間を省くことができ、操作性を向上させることができる。
【００３５】
以上の実施形態において、ＦＮＶ信号のＦＩＦに含まれる理由番号に対応した理由の報知は、ステップＳ２１、Ｓ３１、Ｓ４１、Ｓ５１及びＳ６１に示すように、表示部４を用いて表示しているが、本発明はこれに限らず、画像記録部３を用いて印字してもよいし、予め理由の音声を登録した別の音声合成装置を用いて音声出力するようにしてもよい。
【００３６】
＜第２の実施形態＞
図２は、本発明に係る第２の実施形態であるパーソナルコンピュータ３０の構成を示すブロック図である。この第２の実施形態のパーソナルコンピュータ３０の主制御部１０１は、従来のデータの入出力、データ演算処理、及び、各種のデータを送受信するデータ通信処理、ファクシミリ通信処理に加えて、第１の実施形態の主制御部１と同様の、ファクシミリ通信処理において図６及び図７のポーリング受信処理を実行することを特徴としている。
【００３７】
図２においてパーソナルコンピュータ３０は、従来のデータ通信機能及びファクシミリ通信機能を備えるとともに、ファクシミリ通信処理におけるポーリング受信機能を備えている。主制御部１０１は具体的にはＣＰＵで構成されており、バス１１３を介して以下のハードウェア各部と接続されていてそれらを制御するほか、後述する種々のソフトウェアの機能を実行する。表示部１０４は、液晶表示装置（ＬＣＤ）又はＣＲＴディスプレイ等の表示装置である。キーボード１０５は、パーソナルコンピュータ３０の入力装置である。
【００３８】
ＲＯＭ１０６は、当該パーソナルコンピュータ３０の動作に必要であって主制御部１０１によって実行される種々のソフトウェアのプログラムを予め格納する。ＲＡＭ１０７は、ＳＲＡＭ又はフラッシュメモリ等で構成され、主制御部１０１のワーキングエリアとして使用されてプログラムの実行時に発生する一時的なデータを記憶するほか、上述のプロバイダ情報テーブル７ａを格納している。
【００３９】
図６及び図７のポーリング受信処理のプログラムは、例えばフロッピーディスク１０２ａなどのプログラム記録媒体に記録される。操作者は、フロッピーディスク１０２ａをフロッピーディスクドライブ装置１０２の挿入孔を介して挿入してセットした後、所定のロード操作をしたとき、フロッピーディスク１０２ａに記録された上記プログラムが主制御部１０１により読み出されてＲＡＭ１０７内の適宜のプログラムエリアにロードされて予め格納されていたファクシミリ処理に追加される。そして、操作者は、ＲＡＭ１０７にロードされた図６及び図７のポーリング受信処理を含むファクシミリ処理に対して実行操作をすることにより該当プログラムの処理を実行することができる。
【００４０】
ファックスモデム１１０は、公衆電話回線Ｌに接続され、デジタルデータ及びファクシミリの画像データを送受信する変復調機能を有するモデムであり、アナログの公衆電話回線Ｌの閉結及び開放の動作を行いかつ自動ダイヤル機能を有するＮＣＵ回路をさらに備える。なお、ファックスモデム１１０を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００４１】
以上のように構成された本発明に係る第２の実施形態のパーソナルコンピュータ３０は、第１の実施形態のファクシミリ装置２０と同様に、図６及び図７のポーリング受信処理のプログラムを実行することにより、同様の作用効果を有する。さらに、これらのプログラムをフロッピーディスク１０２ａに記録したので、種々の通信用コンピュータに対してロードして上述の処理を実行することができる。
【００４２】
＜変形例＞
以上の実施形態においては、ファクシミリ装置２０及びパーソナルコンピュータ３０の例について述べているが、本発明はこれに限らず、公衆電話網又は公衆デジタル回線網などの公衆網に接続された、例えば電話機、データ通信装置などを含む通信端末装置に適用することができる。
【００４３】
【発明の効果】
以上詳述したように本発明に係る請求項１記載の通信端末装置によれば、相手通信装置のメモリ内に格納された画像データをポーリング受信する通信端末装置において、相手通信装置に対して画像データの送信を要求する信号と当該画像データを指定する情報を含む信号を送信する送信手段と、相手通信装置からの要求を受け付けない理由を含む信号を受信する受信手段と、理由に基づいた報知を行う報知手段と、上記送信手段及び上記受信手段による通信を継続したまま、上記報知された理由に基づいて当該画像データを指定する情報を入力する第１の入力手段とを備える。ここで、上記送信手段は、上記通信を継続したまま、相手通信装置に対して画像データの送信を要求する信号と、上記入力された情報を含む信号とを再送信し、上記通信端末装置は、上記要求を受け付けない理由が、上記指定された情報に対応する画像データが無いとの理由の場合に、上記メモリ内の画像データの名称の一覧表と、上記指定された情報に対応する画像データとを送信するように要求する指示を入力する第２の入力手段をさらに備え、上記指示が入力されたときに、上記送信手段は、相手通信装置に対して、上記メモリ内の画像データの名称の一覧表と、上記指定された情報に対応する画像データとを送信するように要求する信号を送信する。従って、相手通信装置からの要求を受け付けないときの理由を発呼側の通信端末装置において明確に判別することができる。また、一旦回線を切断して再び発呼するなどしてポーリング受信処理を実行する操作者の手間を省くことができ、操作性を向上させることができる。
【００４５】
さらに、本発明に係る請求項３記載のプログラム記録媒体によれば、相手通信装置のメモリ内に格納された画像データをポーリング受信する通信端末装置のためのコンピュータにより読み取り可能なプログラム記録媒体において、上記プログラムは、相手通信装置に対して画像データの送信を要求する信号と当該画像データを指定する情報を含む信号を送信するステップと、相手通信装置からの要求を受け付けない理由を含む信号を受信するステップと、理由に基づいた報知を行うステップと、上記送信するステップ及び上記受信するステップによる通信を継続したまま、上記報知された理由に基づいて当該画像データを指定する情報を入力するステップとを含む。ここで、上記送信するステップは、上記通信を継続したまま、相手通信装置に対して画像データの送信を要求する信号と、上記入力された情報を含む信号とを再送信することを含み、上記プログラムは、上記要求を受け付けない理由が、上記指定された情報に対応する画像データが無いとの理由の場合に、上記メモリ内の画像データの名称の一覧表と、上記指定された情報に対応する画像データとを送信するように要求する指示を入力するステップをさらに含み、上記指示が入力されたときに、上記送信するステップは、相手通信装置に対して、上記メモリ内の画像データの名称の一覧表と、上記指定された情報に対応する画像データとを送信するように要求する信号を送信する。従って、装置本体のメモリには通信端末装置の本来の機能のみを格納しておき、記録媒体から上記ポーリング受信処理のプログラムを読み込むだけで、オプショナルで機能の追加を容易に行うことができる。
【図面の簡単な説明】
【図１】本発明に係る第１の実施形態であるファクシミリ装置２０の構成を示すブロック図である。
【図２】本発明に係る第２の実施形態であるパーソナルコンピュータ３０の構成を示すブロック図である。
【図３】図１及び図２の被呼側の装置で格納されるファイル情報テーブル７ａの一例を示す図である。
【図４】第１の実施形態において発呼側のファクシミリ装置と被呼側のファクシミリ装置との間で送受信される信号の通信手順を示すタイミングチャートである。
【図５】（ａ）は図４のＰＳＡ信号のデータフォーマットを示す図であり、（ｂ）は図４のＦＮＶ信号のデータフォーマットを示す図である。
【図６】第１の実施形態の発呼側のファクシミリ装置の主制御部１によって実行されるポーリング受信処理の第１の部分を示すフローチャートである。
【図７】第１の実施形態の発呼側のファクシミリ装置の主制御部１によって実行されるポーリング受信処理の第２の部分を示すフローチャートである。
【符号の説明】
１…主制御部、
３…画像記録部、
４…表示部、
６…ＲＯＭ、
７…ＲＡＭ、
７ａ…ファイル情報テーブル、
８…画像メモリ、
１０…ファックスモデム、
１１…ＮＣＵ、
２０…ファクシミリ装置、
２１…フラッシュメモリ、
２２…フロッピーディスクドライブ装置、
２２ａ…フロッピーディスク、
３０…パーナルコンピュータ、
１０１…主制御部、
１０２…フロッピーディスクドライブ装置、
１０２ａ…フロッピーディスク、
１０３…プリンタ、
１０４…表示部、
１０６…ＲＯＭ、
１０７…ＲＡＭ、
１１０…ファックスモデム、
１２１…ハードディスクメモリ、
Ｌ…公衆電話回線。
【図１】
0003612981.tif 000002
【図２】
0003612981.tif 000003
【図３】
0003612981.tif 000004
【図４】
0003612981.tif 000005
【図５】
0003612981.tif 000006
【図６】
0003612981.tif 000007
【図７】
0003612981.tif 000008